(57)【要約】【課題】  桁に形成された反りの大きさが床版の重量に対応していない場合であっても、当該床版を安定的に設置することが可能な床版の設置方法を提供することを課題とし、さらには、複数の床版を連続して設置するに際し、複数の床版の上面を連続的に平坦にすることが可能な床版の設置方法を提供することを課題とする。【解決手段】  反りのある桁１０の上面に結合部材２０を設ける結合部材設置工程と、桁１０の上面に高さ調整用の硬化材３０を打設し、この硬化材３０の上面を平坦に均す硬化材打設工程と、硬化した硬化材３０の上面から突出する結合部材２０を床版４０に形成された中空部４５に挿入しつつ床版４０を硬化材３０の上面に載置する床版載置工程と、中空部４５に充填用の硬化材を打設する硬化材充填工程と、を含む床版の設置方法とする。【選択図】      図２
2005213825.tif 000002
【特許請求の範囲】
【請求項１】
反りのある桁上に床版を設置する方法であって、
前記桁の上面に結合部材を設ける結合部材設置工程と、
前記桁の上面に高さ調整用の硬化材を打設し、当該硬化材の上面を平坦に均す硬化材打設工程と、
硬化した前記硬化材の上面から突出する前記結合部材を前記床版に形成された中空部に挿入しつつ前記床版を前記硬化材の上面に載置する床版載置工程と、
前記中空部に充填用の硬化材を打設する硬化材充填工程と、
を含むことを特徴とする床版の設置方法。
【請求項２】
反りのある桁上に床版を設置する方法であって、
前記桁の上面に結合部材を設ける結合部材設置工程と、
前記床版を前記桁上に載置したときに前記桁に作用する荷重と等価な等価荷重を前記桁に作用させた状態で、前記桁の上面に高さ調整用の硬化材を打設し、当該硬化材の上面を平坦に均す硬化材打設工程と、
硬化した前記硬化材の上面から突出する前記結合部材を前記床版に形成された中空部に挿入しつつ前記床版を前記硬化材の上面に載置する床版載置工程と、
前記等価荷重を除荷する等価荷重除荷工程と、
前記中空部に充填用の硬化材を打設する硬化材充填工程と、
を含むことを特徴とする床版の設置方法。
【請求項３】
前記床版の下面又は硬化した前記高さ調整用の硬化材の上面に前記床版の中空部からの前記充填用の硬化材の漏れ出しを防止する止水部材を配設する止水部材配置工程を前記床版載置工程の前段に含むことを特徴とする請求項１又は請求項２に記載の床版の設置方法。
【請求項４】
反りのある桁上に複数の床版を連続して設置する方法であって、
前記桁の上面に結合部材を設ける結合部材設置工程と、
前記桁の上面に高さ調整用の硬化材を階段状に打設し、その各段において前記硬化材の上面を平坦に均す硬化材打設工程と、
硬化した前記硬化材の上面から突出する前記結合部材を前記各床版に形成された中空部に挿入しつつ前記各床版を前記硬化材の各段の上面に載置する床版載置工程と、
前記中空部に充填用の硬化材を打設する硬化材充填工程と、
を含み、
前記高さ調整用の硬化材の段差が、前記複数の床版の総てを前記桁上に載置したときに前記桁に発生するたわみ量に基づいて設定されていることを特徴とする床版の設置方法。
【請求項５】
前記各床版の下面又は硬化した前記高さ調整用の硬化材の各段の上面に前記各床版の中空部からの前記充填用の硬化材の漏れ出しを防止する止水部材を配設する止水部材配置工程を前記床版載置工程の前段に含むことを特徴とする請求項４に記載の床版の設置方法。
【請求項６】
反りのある桁上に複数の床版を連続して設置する方法であって、
前記桁の上面に結合部材を設ける結合部材設置工程と、
前記桁の上面に高さ調整用の硬化材を打設し、当該硬化材の上面を平坦に均す硬化材打設工程と、
硬化した前記硬化材の上面に前記各床版を支持するスペーサを前記各床版に対応して配置するスペーサ配置工程と、
前記硬化材の上面から突出する前記結合部材を前記各床版に形成された中空部に挿入しつつ前記各床版を前記各スペーサの上面に載置する床版載置工程と、
前記中空部および前記高さ調整用の硬化材の上面と前記各床版の下面との間に充填用の硬化材を打設する硬化材充填工程と、
を含むことを特徴とする床版の設置方法。
【請求項７】
前記各スペーサの高さ寸法が、前記複数の床版の総てを前記桁上に載置したときに前記桁に発生するたわみ量に基づいて設定されていることを特徴とする請求項６に記載の床版の設置方法。
【請求項８】
前記各スペーサを前記床版の中空部を囲うように配置し、
前記各スペーサにより前記中空部からの前記充填用の硬化材の漏れ出しを防止することを特徴とする請求項６又は請求項７に記載の床版の設置方法。
【請求項９】
前記硬化材打設工程の前段に、前記高さ調整用の硬化材よりも高さの低いずれ止め部材を前記桁の上面に設けるずれ止め部材設置工程を含むことを特徴とする請求項１乃至請求項８のいずれか一項に記載の床版の設置方法。
【請求項１０】
前記硬化材打設工程の前段に、前記高さ調整用の硬化材に埋設される鉄筋を前記桁の上方に配置する配筋工程を含むことを特徴とする請求項１乃至請求項９のいずれか一項に記載の床版の設置方法。
【発明の詳細な説明】
【技術分野】
【０００１】
本発明は、反りのある桁上に床版を設置する方法に関する。
【背景技術】
【０００２】
従来、橋梁の床版として鉄筋コンクリート製のもの（ＲＣ床版）が使用されているが、死荷重を低減してより重量の大きい車両の通行を可能とすべく、重量の嵩むＲＣ床版をより軽量な鋼製床版、プレストレスト・コンクリート床版（ＰＣ床版）、アルミニウム合金製の床版などに取り替えるという試みがある。すなわち、既設の床版をより軽量な床版に取り替えて死荷重の低減を図ることにより、桁や橋脚に補強等を施すことなく車両の重量規制の上限を高めようとするものである。なお、既設の床版を取り替える方法としては、例えば、特許文献１や特許文献２に記載されているものが知られている。
【０００３】
ところで、床版を支持する桁には、上向きの反り（キャンバー）が形成されていることがある。例えば、道路橋示方書によれば、支間２５ｍ以上の桁（プレートガーダー）には、反りを付けるのが原則とされている。ここで、「反り」とは、死荷重による桁のたわみに対応する上げ越しを意味しており、反りの大きさは、桁に死荷重（床版の重量等）を作用させたときに、路面が平坦になるように、すなわち、路面が所定の高さ（線形）に納まるように設定されている。
【０００４】
【特許文献１】特開２００３−２８６７０７号公報（全頁）
【特許文献２】特開２０００−０１７６１８号公報（全頁）
【発明の開示】
【発明が解決しようとする課題】
【０００５】
既設の床版を新設の床版に取り替える場合には、既設の床版を撤去する必要があるが、図１４（ａ）（ｂ）に示すように、桁１０から既設の床版１４０，１４０，…を取り除くと、桁１０には再び反りが発生することになる。ところが、この「反り」は、当然のことながら、既設の床版１４０の重量に対応しているのであって、新設の床版４０の重量に対応しているのではない。したがって、図１４（ｃ）に示すように、新設の床版４０，４０，…を桁１０に設置しても反りが残置してしまい、新設の床版４０，４０，…の上面（路面）が平坦にならない。すなわち、複数の既設の床版１４０，１４０，…に対応する上げ越しが桁１０の中央においてｈ1であり（図１４（ｂ）参照）、一方、複数の新設の床版４０，４０，…に対応する上げ越しが桁１０の中央においてｈ2だけあれば足りるとすると、複数の既設の床版１４０，１４０，…に対応する上げ越しが施された桁１０に複数の新設の床版４０，４０，…を連続して載置した場合には、桁１０の中央においてｈ3＝ｈ1−ｈ2の反りが残存することになり、所定の路面高さ（線形）に対して誤差が生じることになる（図１４（ｃ）参照）。
【０００６】
また、反りのある桁１０上において新設の床版４０の設置作業を行わなければならないので、効率が悪いという問題もある。すなわち、桁１０の反りが新設の床版４０の重量に対応していないので、新設の床版４０を載置しても、桁１０の上面は曲面のままで平面にはならない。そうすると、床版４０の下面が平面である故、曲面になっている桁１０の上面に単に床版４０を載置すると、床版４０が非常に不安定になり、床版設置作業に支障をきたす結果となる。
【０００７】
なお、既設の床版を新設の床版に取り替える際に桁の「反り」を考慮する旨の記載は、特許文献１および特許文献２には見当たらない。
【０００８】
また、上記の問題は、床版の取替時のみならず、例えば橋梁自体を新設する場合であっても、桁の反りが床版の重量に対応していない場合に共通して当てはまる問題である。また、橋梁の場合のみならず、歩道橋、鉄道橋、人工地盤など様々な構造物にも共通する問題でもある。
【０００９】
そこで、本発明は、桁に形成された反りの大きさが床版の重量に対応していない場合であっても、当該床版を安定的に設置することが可能な床版の設置方法を提供することを課題とし、さらには、複数の床版を連続して設置するに際し、複数の床版の上面を連続的に平坦にすることが可能な床版の設置方法を提供することを課題とする。
【課題を解決するための手段】
【００１０】
かかる課題を解決するために創案された請求項１の発明は、反りのある桁上に床版を設置する方法であって、前記桁の上面に結合部材を設ける結合部材設置工程と、前記桁の上面に高さ調整用の硬化材を打設し、当該硬化材の上面を平坦に均す硬化材打設工程と、硬化した前記硬化材の上面から突出する前記結合部材を前記床版に形成された中空部に挿入しつつ前記床版を前記硬化材の上面に載置する床版載置工程と、前記中空部に充填用の硬化材を打設する硬化材充填工程と、を含むことを特徴とする。
【００１１】
かかる床版の設置方法は、反りのある桁の上面に高さ調整用の硬化材を打設し、その上面を平坦に均したうえで、当該硬化材の上面に床版を設置するものである。すなわち、床版の重量に対応していない桁の上面に高さ調整用の硬化材を打設し、当該硬化材の上面を床版の重量に対応する曲面もしくは平面に均したうえで、当該硬化材の上面に床版を設置するものである。このようにすると、反りの大きさが床版の重量に対応していない場合であっても、当該床版を安定的に設置することが可能となり、ひいては、効率よく床版の設置作業を行うことが可能となる。
【００１２】
請求項２の発明は、反りのある桁上に床版を設置する方法であって、前記桁の上面に結合部材を設ける結合部材設置工程と、前記床版を前記桁上に載置したときに前記桁に作用する荷重と等価な等価荷重を前記桁に作用させた状態で、前記桁の上面に高さ調整用の硬化材を打設し、当該硬化材の上面を平坦に均す硬化材打設工程と、硬化した前記硬化材の上面から突出する前記結合部材を前記床版に形成された中空部に挿入しつつ前記床版を前記硬化材の上面に載置する床版載置工程と、前記等価荷重を除荷する等価荷重除荷工程と、前記中空部に充填用の硬化材を打設する硬化材充填工程と、を含むことを特徴とする。
【００１３】
かかる床版の設置方法によると、平坦に均された高さ調整用の硬化材の上面に床版が設置されることになるので、反りの大きさが床版の重量に対応していない場合であっても、当該床版を安定的に設置することが可能となり、ひいては、効率よく床版の設置作業を行うことが可能となる。
【００１４】
さらに、かかる床版の設置方法によると、床版を桁上に載置したときに当該桁に作用する荷重と等価な等価荷重を作用させた状態で、言い替えれば、床版を桁上に載置したのと同じ状態で高さ調整用の硬化材の上面を平坦にするので、本物の床版を載置しても高さ調整用の硬化材に曲げ応力等が発生することはなく、また、床版を載置する前と後とで桁のたわみ量も変化しない。つまり、かかる床版の設置方法によると、平坦にされた高さ調整用の硬化材の上面は、床版を載置した後であっても、床版を載置する前の状態から変化することはなく、したがって、高さ調整用の硬化材の上面と床版の下面との間に隙間が生じることがない。つまり、かかる床版の設置方法は、特に、床版によって桁に生じるたわみを無視できない場合に好適であるといえる。
【００１５】
請求項３の発明は、請求項１又は請求項２に記載の床版の設置方法であって、前記床版の下面又は硬化した前記高さ調整用の硬化材の上面に前記床版の中空部からの前記充填用の硬化材の漏れ出しを防止する止水部材を配設する止水部材配置工程を前記床版載置工程の前段に含むことを特徴とする。
【００１６】
かかる床版の設置方法によると、中空部に充填用の硬化材を充填したときに、当該硬化材の漏れ出しが防止され、その結果、当該硬化材の強度等を確実に確保することが可能となる。
【００１７】
請求項４の発明は、反りのある桁上に複数の床版を連続して設置する方法であって、前記桁の上面に結合部材を設ける結合部材設置工程と、前記桁の上面に高さ調整用の硬化材を階段状に打設し、その各段において前記硬化材の上面を平坦に均す硬化材打設工程と、硬化した前記硬化材の上面から突出する前記結合部材を前記各床版に形成された中空部に挿入しつつ前記各床版を前記硬化材の各段の上面に載置する床版載置工程と、前記中空部に充填用の硬化材を打設する硬化材充填工程と、を含み、前記高さ調整用の硬化材の段差が、前記複数の床版の総てを前記桁上に載置したときに前記桁に発生するたわみ量に基づいて設定されていることを特徴とする。
【００１８】
かかる床版の設置方法は、桁に形成された反りが複数の床版の重量に対応していない場合に、複数の床版の上面に桁の反りの影響が現れないようにするためのものであり、複数の床版に対応して高さ調整用の硬化材を階段状に打設し、各段ごとに当該硬化材の上面を平坦に均したうえで、当該硬化材の各段の上面に各床版を設置するものである。すなわち、かかる床版の設置方法によると、桁の反りの大きさが複数の床版の重量に対応していない場合であっても、各床版を安定的に設置することが可能となり、ひいては、効率よく床版の設置作業を行うことが可能となる。しかも、複数の床版の総てを桁に載置したときに当該桁に発生するたわみ量に基づいて高さ調整用の硬化材の段差が形成されているので、総ての床版を載置したときに、これら複数の床版の上面が連続して平坦になる。
【００１９】
請求項５の発明は、請求項４に記載の床版の設置方法であって、前記各床版の下面又は硬化した前記高さ調整用の硬化材の各段の上面に前記各床版の中空部からの前記充填用の硬化材の漏れ出しを防止する止水部材を配設する止水部材配置工程を前記床版載置工程の前段に含むことを特徴とする。
【００２０】
かかる床版の設置方法によると、中空部に充填用の硬化材を充填したときに、当該硬化材の漏れ出しが防止され、その結果、当該硬化材の強度等を確実に確保することが可能となる。
【００２１】
請求項６の発明は、反りのある桁上に複数の床版を連続して設置する方法であって、前記桁の上面に結合部材を設ける結合部材設置工程と、前記桁の上面に高さ調整用の硬化材を打設し、当該硬化材の上面を平坦に均す硬化材打設工程と、硬化した前記硬化材の上面に前記各床版を支持するスペーサを前記各床版に対応して配置するスペーサ配置工程と、前記硬化材の上面から突出する前記結合部材を前記各床版に形成された中空部に挿入しつつ前記各床版を前記各スペーサの上面に載置する床版載置工程と、前記中空部および前記高さ調整用の硬化材の上面と前記各床版の下面との間に充填用の硬化材を打設する硬化材充填工程と、を含むことを特徴とする。
【００２２】
かかる床版の設置方法は、平坦に均された高さ調整用の硬化材の上面に複数の床版を連続して設置するに際し、当該硬化材の上面と床版の下面との間にスペーサを介設するものであるが、平坦に均された高さ調整用の硬化材の上面にスペーサを設置することができるので、反りのある桁上に直接スペーサを設置する場合に比べて、効率よく作業を行うことができる。さらに、床版を桁上に載置した状態で床版の中空部および高さ調整用の硬化材の上面と各床版の下面との間に充填用の硬化材を打設するので、高さ調整用の硬化材と充填用の硬化材とが剥離することがなく、ひいては、床版を安定的に支持することが可能となる。
【００２３】
請求項７の発明は、請求項６に記載の床版の設置方法であって、前記各スペーサの高さ寸法が、前記複数の床版の総てを前記桁上に載置したときに前記桁に発生するたわみ量に基づいて設定されていることを特徴とする。
【００２４】
かかる床版の設置方法は、高さ調整用の硬化材と床版との間に介設したスペーサで床版の重量により桁に生じるたわみに相当する高さを調節するものである。このようにすると、総ての床版を載置したときに、これら複数の床版の上面が連続して平坦になる。
【００２５】
請求項８の発明は、請求項６又は請求項７に記載の床版の設置方法であって、前記各スペーサを前記床版の中空部を囲うように配置し、前記各スペーサにより前記中空部からの前記充填用の硬化材の漏れ出しを防止することを特徴とする。
【００２６】
かかる床版の設置方法によると、高さ調整用の硬化材と床版の下面との間に介設されたスペーサが止水部材として機能するので、中空部に充填用の硬化材を充填したときに、当該硬化材の漏れ出しが防止され、その結果、当該硬化材の強度等を確実に確保することが可能となる。
【００２７】
請求項９の発明は、請求項１乃至請求項８のいずれか一項に記載の床版の設置方法であって、前記硬化材打設工程の前段に、前記高さ調整用の硬化材よりも高さの低いずれ止め部材を前記桁の上面に設けるずれ止め部材設置工程を含むことを特徴とする。
【００２８】
かかる床版の設置方法によると、高さ調整用の硬化材が確実に桁の上面に付着することになるので、当該硬化材の剥離を防止することが可能となる。
【００２９】
請求項１０の発明は、請求項１乃至請求項９のいずれか一項に記載の床版の設置方法であって、前記硬化材打設工程の前段に、前記高さ調整用の硬化材に埋設される鉄筋を前記桁の上方に配置する配筋工程を含むことを特徴とする。
【００３０】
かかる床版の設置方法によると、高さ調整用の硬化材にひび割れが発生し難くなるので、結合部材やずれ止め部材の腐食を防止することが可能となる。
【発明の効果】
【００３１】
本発明に係る床版の設置方法によると、桁に形成された反りの大きさが床版の重量に対応していない場合であっても、安定的に床版を設置することが可能となり、さらには、複数の床版を連続して設置するに際し、桁に形成された反りの大きさが複数の床版の重量に対応していない場合であっても、複数の床版の上面を連続的に平坦にすることが可能となる。そして、本発明を利用することにより、重量の嵩む床版をより軽量な床版に取り替えることが容易になる。
【発明を実施するための最良の形態】
【００３２】
以下、本発明を実施するための最良の形態を、添付した図面を参照しつつ詳細に説明する。なお、以下の各実施形態では、既設の床版の重量に合わせて桁に反りが形成されている場合において、既設の床版を撤去してより軽量な床版に取り替える場合、言い換えれば、桁の反りが新設の床版に対応していない場合を想定している。
【００３３】
［第１の実施形態］
第１の実施形態に係る床版の設置方法は、図１および図２に示すように、上向きの反りのある桁１０，１０上に新設の床版４０（以下、単に「床版４０」という）を設置する方法であって、桁１０，１０の上面を高さ調整用の硬化材３０で平坦に均したうえで、硬化した硬化材３０の上面に床版４０を設置するものであり、結合部材設置工程、ずれ止め部材設置工程、配筋工程、硬化材打設工程、止水部材配置工程、床版載置工程および硬化材充填工程を含む。
【００３４】
ここで、桁１０は、橋脚間に架設される断面Ｉ（Ｈ）形の鋼製のプレートガーダーであり、高さ調整用の硬化材３０は、無収縮モルタルである。なお、桁１０の形状や材質は図示のものに限定されることはなく、例えば、鉄筋コンクリート製のものであっても差し支えない。また、高さ調整用の硬化材３０も、無収縮モルタルに限定されることはなく、例えば、コンクリートや樹脂系のものを使用することができる。なお、以下では、高さ調整用の硬化材３０を単に「硬化材３０」ということがある。
【００３５】
床版４０は、複数のアルミニウム合金製の中空押出形材を溶接や摩擦攪拌接合等により接合して形成したものであり、図３（ａ）（ｂ）に示すように、上下方向に対向する上板４１および下板４２と、これらを接続する複数の腹板４３，４３，…とを備えている。上板４１には、複数の注入孔４１ａ，４１ａ，…が所定の間隔をあけて形成されており、各注入孔４１ａの周囲には、一対のガス抜き孔４１ｂ，４１ｂが形成されている。また、下板４２には、上板４１に形成された注入孔４１ａ，４１ａ，…のそれぞれの直下に結合部材２０が挿通される矩形形状の通し孔４２ａ，４２ａ，…が形成されている（図６（ａ）（ｂ）参照）。また、注入孔４１ａおよび通し孔４２ａを挟んで対向する腹板４３，４３間には、注入孔４１ａおよび通し孔４２ａを挟んで対向する一対の堰板４４，４４が配置されている。なお、以下では、注入孔４１ａおよび通し孔４２ａを挟んで対向する腹板４３，４３と一対の堰板４４，４４とにより形成される空間４５を「中空部４５」と称することにする。ここで、中空部４５とは、桁１０に立設された結合部材２０が挿通される空間を意味し、その寸法形状は問わない。例えば、本実施形態に係る床版４０では、その側断面が上に広がる台形（下側が窄んだ形状）を呈するホロー部に中空部４５を形成したが、側断面が下に広がる台形（上側が窄んだ形状）を呈するホロー部４５’（図３（ａ）参照）に中空部を形成することも可能であり、さらには、その双方に中空部を形成することも可能である。また、図示は省略するが、腹板４３を上板４１および下板４２に対して直角に形成してもよく、この場合には、側断面が矩形を呈するホロー部に中空部が形成されることになる。また、本実施形態では、アルミニウム合金製の押出形材からなる床版４０を例示したが、鋼製の床版またはＰＣ床版を利用することも可能である。なお、ＰＣ床版を利用する場合には、上に広がる形状の箱抜き（凹部）が形成されることになるが、この場合には、この箱抜きが「中空部」となる。
【００３６】
以下、本実施形態に係る床版の設置方法を工程ごとに詳細に説明する。
【００３７】
（結合部材設置工程）
結合部材設置工程は、図４（ａ）（ｂ）に示すように、反りのある桁１０の上面に所定の間隔をあけて複数の結合部材２０，２０，…を立設固定する工程である。複数の結合部材２０，２０，…は、床版４０に形成された複数の中空部４５，４５，…（図３（ａ）参照）に対応して配置されており、床版４０を硬化材３０の上面に載置したときに、床版４０の通し孔４２ａから中空部４５内に挿入される（図６（ａ）（ｂ）参照）。ここで、本実施形態に係る結合部材２０は、桁１０の長手方向に直交する方向に沿って配置された三個一組の鋼製のスタッドジベル２１，２１，２１から構成されており、スタッド溶接により桁１０に固定される。なお、スタッドジベル２１の本数は、床版４０の形状や桁１０の形状等に対応させて適宜変更しても差し支えない。
【００３８】
（ずれ止め部材設置工程）
ずれ止め部材設置工程は、結合部材設置工程と同時に若しくは前後して行われる工程であって、図４（ｃ）に示すように、ずれ止め部材６０を桁１０の上面に立設固定する工程である。本実施形態に係るずれ止め部材６０は、桁１０の上面への硬化材３０の付着を確実にするためのものであり、桁１０の長手方向に直交する方向に沿って配置された三個一組の鋼製のスタッドジベル６１，６１，６１から構成されており、スタッド溶接により桁１０に固定される。いる。また、図６（ｂ）に示すように、ずれ止め部材６０は、高さ調整用の硬化材３０よりも高さが低く、硬化材３０に完全に埋設される。なお、結合部材２０も、硬化材３０のずれ止めとして機能するので、結合部材２０により十分に付着強度が得られる場合には、ずれ止め部材６０を省略することもでき、また、必要によりその本数を増減させることもできる。
【００３９】
（配筋工程）
配筋工程は、結合部材設置工程およびずれ止め部材設置工程と同時に若しくは前後して行われる工程であって、図４（ｃ）に示すように、桁１０の上面に鉄筋スペーサ６６を設置し、その上面に鉄筋６５を配置する工程である。鉄筋６５は、高さ調整用の硬化材３０に埋設され、硬化材３０のひび割れや剥離を防止するものである。このようにすると、高さ調整用の硬化材３０にひび割れが発生し難くなるので、結合部材２０やずれ止め部材６０の腐食を防止することができる。なお、高さ調整用の硬化材３０のひび割れ等が問題にならない場合には、鉄筋６５を省略することもできる。
【００４０】
（硬化材打設工程）
硬化材打設工程は、配筋工程に続く工程であって、図５（ａ）に示すように、図示しない型枠を設置したうえで、桁１０の上面に高さ調整用の硬化材３０を打設し、硬化材３０の上面を平坦に均す工程である。本実施形態では、高さ調整用の硬化材３０の上面を路面の高さ（計画線形）と平行な平面に均してある。なお、高さ調整用の硬化材３０の上面は、本実施形態では平面に均してあるが、路面の線形によっては、曲面になることもある。
【００４１】
また、高さ調整用の硬化材３０に床版４０を載置すると、その重量により桁１０がたわむことになるので、硬化材３０の上面は、理想的には、複数の床版４０を載置したときに桁１０に発生するたわみ量を考慮して設定するのがよい。すなわち、図９（ａ）に示す高さ調整用の硬化材３０’のように、その上面３１’を床版４０の重量に対応する反りが形成された図９（ｂ）に示す桁１０’の上面１１’と同一の曲面にするのが理想的である。なお、本実施形態のように鉄筋コンクリート製の既存の床版をアルミニウム合金製の床版４０に交換する場合には、その重量が５分の１程度になることから、床版４０により桁１０に発生するたわみを無視することができ、したがって、高さ調整用の硬化材３０の上面を平面にしても問題はない。
【００４２】
（止水部材配置工程）
止水部材配置工程は、図５（ｂ）に示すように、所定の強度に達した高さ調整用の硬化材３０の上面に、結合部材２０ごとにその周囲に止水部材７０を配置する工程である。ここで、止水部材７０は、水膨張性のものが好適であるが、水膨張性でない天然ゴムや合成ゴム等からなるものを使用することもできる。なお、本実施形態では、止水部材７０を高さ調整用の硬化材３０の上面に配設したが、図７に示すように、床版４０の通し孔４２ａの周囲に配設してもよい。また、本実施形態では、止水部材７０を結合部材２０ごとに配設したが、図８に示す止水部材７０’のように、二つ以上の結合部材２０，２０，…を囲うように配設してもよい。
【００４３】
（床版載置工程）
床版載置工程は、止水部材配置工程に続く工程であって、図５（ｃ）に示すように、所定の強度に硬化した高さ調整用の硬化材３０の上面に床版４０を載置する工程である。床版４０を高さ調整用の硬化材３０の上面に載置すると、硬化材３０の上面から突出する結合部材２０が床版４０の中空部４５に挿入され、止水部材７０が床版４０の通し孔４２ａの周囲に位置する（図６（ａ）（ｂ）参照）。
【００４４】
（硬化材充填工程）
硬化材充填工程は、床版載置工程に続く工程であって、図６（ａ）（ｂ）に示すように、床版４０の中空部４５に注入孔４１ａから充填用の硬化材５０を打設（注入）する工程である。中空部４５の内部の空気は、充填用の硬化材５０の注入と同時にガス抜き孔４１ｂ，４１ｂから順次抜け出て行くので、スムーズに充填作業を行うことができ、しかも中空部４５の内部に空気が残留しない。なお、充填用の硬化材５０は、無収縮モルタルが好適であるが、コンクリートや樹脂系のものを使用することもできる。また、中空部４５（通し孔４２ａ）の周囲に止水部材７０が配置されているので、その外側への充填用の硬化材５０の漏れ出しが防止され、その結果、充填用の硬化材５０の強度等を確実に確保することが可能となる。なお、以下では、充填用の硬化材５０を単に「硬化材５０」ということがある。
【００４５】
そして、床版４０の中空部４５に充填用の硬化材５０を充填すると、硬化材５０により中空部４５の内部が密実になり、且つ、中空部４５に挿入された結合部材２０が包囲され、かかる状態で硬化材５０が硬化すると床版４０が高さ調整用の硬化材３０の上面に固定される。
【００４６】
以上のような床版の設置方法によると、桁１０の反りの大きさが床版４０の重量に対応していない場合であっても、床版４０を安定的に設置することが可能となり、ひいては、効率よく床版４０の設置作業を行うことが可能となる。
【００４７】
なお、本実施形態では、桁１０が鋼製であるのに対し、床版４０がアルミニウム合金製であるが、これらの間に無収縮モルタルからなる高さ調整用の硬化材３０が介設されているので、鋼とアルミニウム合金との間の電位差に起因する電食の発生を未然に防止することができる。
【００４８】
［第２の実施形態］
第２の実施形態に係る床版の設置方法は、図１０（ａ）（ｂ）に示すように、等価荷重Ｐを作用させた状態で桁１０の上面に高さ調整用の硬化材３０を打設し、その上面を平坦に均したうえで、硬化した硬化材３０の上面に床版４０を設置するものであり、結合部材設置工程、ずれ止め部材設置工程、配筋工程、硬化材打設工程、止水部材配置工程、床版載置工程、等価荷重除荷工程および硬化材充填工程を含む。
【００４９】
なお、結合部材設置工程、ずれ止め部材設置工程、配筋工程、止水部材配置工程、床版載置工程および硬化材充填工程の各工程は、前記した第１の実施形態に係る床版の設置方法の各工程と同様であるので詳細な説明を省略し、以下では、硬化材打設工程と等価荷重除荷工程について詳細に説明する。なお、図１０（ｂ）では、堰板４４（図３参照）の図示を省略している。
【００５０】
（硬化材打設工程）
第２の実施形態に係る硬化材打設工程は、結合部材設置工程、ずれ止め部材設置工程および配筋工程に続く工程であって、等価荷重Ｐを桁１０に作用させた状態で、桁１０の上面に高さ調整用の硬化材３０を打設し、この硬化材３０の上面を路面の高さ（計画線形）に合わせて平坦に均す工程である。
【００５１】
ここで、等価荷重Ｐは、床版４０を桁１０上に載置したときに桁１０に作用する荷重と等価な荷重である。等価荷重Ｐを桁１０に作用させるには、例えば、床版４０と同等の重量の錘を桁１０に吊り下げればよい。等価荷重Ｐを作用させるタイミングは、高さ調整用の硬化材３０を打設する前であれば、桁１０の上面に結合部材２０、ずれ止め部材６０、鉄筋６５を設置する前でも後でもよい。
【００５２】
なお、図１０（ａ）では、高さ調整用の硬化材３０の上面が平面になっているが、路面の線形によっては曲面になることもある。
【００５３】
（等価荷重除荷工程）
等価荷重除荷工程は、桁１０に作用させた等価荷重Ｐを除荷する工程であり、桁１０の上面に高さ調整用の硬化材３０を打設した後の適宜なタイミングで実施される。
【００５４】
その後、第１の実施形態の場合と同様に、高さ調整用の硬化材３０の上面に床版４０を載置し、床版４０の中空部４５に充填用の硬化材５０を打設（注入）すれば、床版４０の設置作業が完了する（図６（ａ）（ｂ）参照）。
【００５５】
以上のような第２の実施形態に係る床版の設置方法によると、平坦に均された高さ調整用の硬化材３０の上面に床版４０が設置されることになるので、桁１０に形成された反りの大きさが床版４０の重量に対応していない場合であっても、床版４０を安定的に設置することが可能となり、ひいては、効率よく床版４０の設置作業を行うことが可能となる。さらに、等価荷重Ｐを作用させた状態で、言い換えれば、床版４０を桁１０上に載置したのと同じ状態で高さ調整用の硬化材３０の上面を平坦にするので、本物の床版４０を載置しても高さ調整用の硬化材３０に曲げ応力等が発生することはなく、また、桁１０のたわみ量も変化しない。つまり、平坦にされた高さ調整用の硬化材３０の上面は、床版４０を載置した後であっても、床版４０を載置する前の状態から変化することはなく、したがって、硬化材３０の上面と床版４０の下面との間に隙間が生じることがない。
【００５６】
なお、等価荷重Ｐを作用させない状態で高さ調整用の硬化材３０の上面を平坦にした場合は、床版４０の設置作業は容易になるものの、床版４０自体の重量により桁１０にたわみが発生してしまうので、厳密には硬化材３０の上面にたわみが発生することになるが、等価荷重Ｐを作用させた状態で硬化材３０の上面を平坦にする本実施形態の方法によると、床版４０を設置する前後で桁１０のたわみ量が全く変化しないので、当然のことながら硬化材３０の上面がたわむこともない。言い換えれば、本実施形態に係る床版の設置方法は、特に、床版４０によって桁１０に生じるたわみを無視できない場合に好適である。
【００５７】
［第３の実施形態］
第３の実施形態に係る床版の設置方法は、図１１（ａ）（ｂ）に示すように、反りのある桁１０上に複数の床版４０，４０，…を連続して設置するに際し、複数の床版４０，４０,…に対応して高さ調整用の硬化材３０を階段状に打設し、各段ごとに硬化材３０の上面を平坦に均したうえで、硬化材３０の各段の上面に各床版４０を設置する方法であって、結合部材設置工程、ずれ止め部材設置工程、配筋工程、硬化材打設工程、止水部材配置工程、床版載置工程および硬化材充填工程を含む。
【００５８】
なお、結合部材設置工程、ずれ止め部材設置工程、配筋工程、止水部材配置工程、床版載置工程および硬化材充填工程の各工程は、前記した第１の実施形態に係る床版の設置方法の各工程と同様であるのでその詳細な説明を省略し、以下では、硬化材打設工程について詳細に説明する。なお、図１１（ｂ）では、堰板４４（図３参照）の図示を省略している。
【００５９】
（硬化材打設工程）
第３の実施形態に係る硬化材打設工程は、結合部材設置工程、ずれ止め部材設置工程および配筋工程に続く工程であって、桁１０の上面に高さ調整用の硬化材３０を階段状に打設し、その各段において硬化材３０の上面を平坦に均す工程である。ここで、高さ調整用の硬化材３０の段差は、複数の床版４０，４０，…の総てを桁１０上に載置したときに桁１０に発生するたわみ量に基づいて設定されている。すなわち、図９（ａ）に示す硬化材３０’の上面の形状を近似したものであり、桁１０の中央に位置する段の上面が最も高い位置にあり、桁１０の支点に近づくにしたがって、順次低くなっていく。これは、桁１０の中央部分のたわみ量が最も大きいことに基づいている。
【００６０】
より詳細には、床版４０が載置される段における高さ調整用の硬化材３０の厚さｔは、床版４０の上面の計画高さをＨ1、床版４０の直下における桁１０の上面の無負荷時の高さをＨ2、総ての床版４０，４０，…を載置したときに床版４０の直下において桁１０に発生するたわみ量をδ、床版４０の厚さをＴとすると、次式で表される。
ｔ＝（Ｈ1−Ｔ）−Ｈ2＋δ
ここで、δは、構造計算を行うことによって容易に算出することができる。
【００６１】
なお、高さ調整用の硬化材３０の各段の上面は、図１１（ａ）では平面に均してあるが、路面の線形によっては、曲面になることもある。
【００６２】
そして、床版載置工程において、複数の床版４０，４０，…を高さ調整用の硬化材３０の各段に載置すると、床版４０，４０，…の重量により桁１０が下方向にたわみ、その結果、床版４０ごとに異なる大きさで下方向に変位することになるが、当該変位量の違いが硬化材３０の段差によって吸収されるので、最終的には、図１１（ｂ）に示すように、床版４０，４０，…の上面が平坦（すなわち、所定の路面高さ（線形））になる。
【００６３】
その後、第１の実施形態の場合と同様に、床版４０の中空部４５に充填用の硬化材５０を打設（注入）すれば、床版４０の設置作業が完了する（図６（ａ）（ｂ）参照）。
【００６４】
以上のような第３の実施形態に係る床版の設置方法によると、桁１０の反りの大きさが複数の床版４０，４０，…の重量に対応していない場合であっても、各床版４０を安定的に設置することが可能となり、ひいては、効率よく床版４０の設置作業を行うことが可能となる。また、複数の床版４０，４０，…の総てを桁１０に載置したときに桁１０に発生するたわみ量に基づいて高さ調整用の硬化材３０の段差が形成されているので、総ての床版４０，４０，…を載置したときに、これら複数の床版４０，４０，…の上面が平坦に連続するようになる。すなわち、桁１０の反りの大きさが複数の床版４０，４０，…の重量に対応していない場合であっても、複数の床版４０，４０，…の上面が連続して平坦になる。つまり、本実施形態に係る床版の設置方法は、特に、床版４０によって桁１０に生じるたわみを無視できない場合に好適な方法であるといえる。
【００６５】
［第４の実施形態］
第４の実施形態に係る床版の設置方法は、図１２（ａ）（ｂ）に示すように、反りのある桁１０上に複数の床版４０，４０，…を連続して設置するに際し、高さ調整用の硬化材３０の上面を平坦に均したうえで、複数の高さ調整用のスペーサ８０，８０，…を硬化材３０の上面に設置し、各スペーサ８０の上面に各床版４０を設置する方法であって、結合部材設置工程、ずれ止め部材設置工程、配筋工程、硬化材打設工程、スペーサ配置工程、床版載置工程および硬化材充填工程を含む。硬化材３０と床版４０との間に介設されるスペーサ８０で調節するものである。
【００６６】
なお、結合部材設置工程、ずれ止め部材設置工程および配筋工程の各工程は、前記した第１の実施形態に係る床版の設置方法の各工程と同様であるのでその詳細な説明を省略し、以下では、スペーサ配置工程、床版載置工程および硬化材充填工程について詳細に説明する。なお、図１２（ｂ）では、堰板４４（図３参照）の図示を省略している。
【００６７】
（スペーサ配置工程）
スペーサ配置工程は、硬化材打設工程に続く工程であって、硬化した高さ調整用の硬化材３０の上面に各床版４０を支持するスペーサ８０，８０，…を各床版４０に対応して配置する工程である。スペーサ８０は、床版４０の重量により桁１０に生じるたわみに相当する高さを調節するものであり、その高さ寸法は、複数の床版４０，４０，…の総てを桁１０上に載置したときに桁１０に発生するたわみ量に基づいて設定されている。したがって、桁１０の中央に位置するスペーサ８０の高さ寸法が最も大きく、桁１０の支点に近づくにしたがって、順次小さくなっていく。これは、桁１０の中央部分のたわみ量が最も大きいことに基づいている。
【００６８】
より詳細には、スペーサ８０の高さ寸法ｈは、スペーサ８０の設置位置における床版４０の上面の計画高さをＨ3、スペーサ８０の設置位置における硬化材３０の上面の無負荷時における高さをＨ4、総ての床版４０，４０，…を載置したときにスペーサ８０の位置において桁１０に発生するたわみ量をδ、床版４０の厚さをＴとすると、次式で表される。
ｈ＝（Ｈ3−Ｔ）−Ｈ4＋δ
ここで、δは、構造計算を行うことによって容易に算出することができる。
【００６９】
なお、本実施形態では、一つの床版４０に対して二つのスペーサ８０，８０を配置しているが、スペーサ８０の個数や位置等は図示のものに限定されることはなく、適宜変更しても差し支えない。また、スペーサ８０としては、例えば、木片、コンクリート製のブロック、鋼製のブロック、アルミニウム合金製のブロックなどを使用することができる。
【００７０】
（床版載置工程）
床版載置工程は、スペーサ配置工程に続く工程であって、高さ調整用の硬化材３０の上面から突出する結合部材２０を各床版４０に形成された中空部４５に挿入しつつ各床版４０を各スペーサ８０の上面に載置する工程である。複数の床版４０，４０，…をスペーサ８０，８０，…に載置すると、床版４０，４０，…の重量により桁１０が下方向にたわむ（沈下する）ことになるが、これを考慮して高さ寸法を設定した各スペーサ８０よって床版４０ごとに異なるたわみ量（沈下量）が吸収されるので、最終的には、図１２（ｂ）に示すように、床版４０，４０，…の上面が平坦（すなわち、所定の路面高さ（線形））になる。
【００７１】
（硬化材充填工程）
硬化材充填工程は、床版載置工程に続く工程であって、床版４０の中空部４５および高さ調整用の硬化材３０の上面と各床版４０の下面との間に充填用の硬化材５０を打設する工程である。なお、充填用の硬化材５０の打設に先立って、図示しない型枠で高さ調整用の硬化材３０の上面と各床版４０の下面との間の空間を囲繞しておく。なお、スペーサ８０，８０で各床版４０が支持されるので、型枠は、軽構造なものでよい。
【００７２】
そして、床版４０の中空部４５および型枠で囲繞された空間に充填用の硬化材５０を充填すると、中空部４５に挿入された結合部材２０が包囲され、かかる状態で硬化材５０が硬化すると床版４０が桁１０および高さ調整用の硬化材３０と一体に固定される。
【００７３】
以上説明した第４の実施形態に係る床版の設置方法によると、平坦に均された高さ調整用の硬化材３０の上面にスペーサ８０を設置することができるので、反りのある桁１０上に直接スペーサ８０を設置する場合に比べて、効率よく作業を行うことができる。さらに、床版４０を桁１０上に載置した状態で床版４０の中空部４５および高さ調整用の硬化材３０の上面と各床版３０の下面との間に充填用の硬化材５０を打設するので、高さ調整用の硬化材３０と充填用の硬化材５０とが剥離することがなく、ひいては、床版４０を安定的に支持することが可能となる。また、各スペーサ８０の高さ寸法が、複数の床版４０，４０，…の総てを桁１０上に載置したときに桁１０に発生するたわみ量に基づいて設定されているので、図１２（ｂ）に示すように、総ての床版４０，４０，…を載置したときに、これら複数の床版４０，４０，…の上面が平坦に連続するようになる。
【００７４】
なお、本実施形態に係るスペーサ８０は、ブロック状のものであったが、例えば、図１３（ａ）に示すスペーサ８０’のように、結合部材２０（床版４０の中空部４５）を囲うように配置される枠状のものであってもよい。ここで、スペーサ８０’は、図１３（ｂ）に示すように、基枠８１と、その上面および下面に装着された止水部材８２，８２とを備えて構成されている。このようにすると、中空部４５に充填された充填用の硬化材５０の漏れ出しを確実に防止することができる。すなわち、高さ調整用の硬化材３０と床版４０の下面との間に介設されたスペーサ８０’が止水部材としても機能することになり、その結果、充填用の硬化材５０を中空部４５に充填したときに、硬化材５０の漏れ出しが防止され、硬化材５０の強度等を確実に確保することが可能となる。なお、スペーサ８０’を使用した場合には、床版４０の中空部４５とスペーサ８０’で囲繞された空間内に充填用の硬化材５０が充填されることになる。また、高さ寸法（厚さ）の異なる基枠８１を複数用意しておけば、異なる高さ寸法のスペーサ８０’を容易に製作することができる。
【００７５】
なお、前記した第１乃至第４の実施形態では、新設の床版の方が既設の床版よりも軽量である場合（即ち、桁に形成された反りが大きい場合）を例示したが、本発明に係る床版の設置方法は、既設の床版の方が新設の床版よりも軽量である場合（すなわち、桁に形成された反りが小さく、新設の床版を載置したときに下向きにたわみが生じる場合）であっても適用することができ。また、前記した第１乃至第４の実施形態では、桁１０に上向きの反りがある場合を例示したが、本発明に係る床版の設置方法は、下向きの反りがある場合であっても適用することができる。
【００７６】
また、床版４０の形状等も図示のものに限定されることはなく、適宜変更しても差し支えない。さらに、本実施形態では、床版４０をアルミニウム合金製としたが、これに限定されることはなく、鋼製の床版やＰＣ床版、さらにはその他の材質の床版であってもよいことは言うまでもない。
【図面の簡単な説明】
【００７７】
【図１】第１の実施形態に係る床版の設置方法を説明するための斜視図である。
【図２】第１の実施形態に係る床版の設置方法を説明するための側面図である。
【図３】（ａ）は床版の斜視図、（ｂ）は同じく側面図である。
【図４】（ａ）は反りのある桁を示す斜視図、（ｂ）は結合部材設置工程を説明するための斜視図、（ｃ）はずれ止め部材設置工程および配筋工程を説明するための斜視図である。
【図５】（ａ）は硬化材打設工程を説明するための斜視図、（ｂ）は止水部材配置工程を説明するための斜視図、（ｃ）は床版載置工程を説明するための斜視図である。
【図６】（ａ）は硬化材充填工程を説明するための断面図、（ｂ）は（ａ）のＸ−Ｘ線断面図である。
【図７】止水部材の配置例を示す斜視図である。
【図８】止水部材のさらに他の配置例を示す斜視図である。
【図９】（ａ）（ｂ）は高さ調整用の硬化材の上面の理想的な形状を説明する模式図である。
【図１０】第２の実施形態に係る床版の設置方法を説明するための側面図であって、（ａ）は硬化材打設工程を示す図、（ｂ）は床版を設置した状態を示す図である。
【図１１】第３の実施形態に係る床版の設置方法を説明するための側面図であって、（ａ）は硬化材打設工程を示す図、（ｂ）は床版を設置した状態を示す図である。
【図１２】第４の実施形態に係る床版の設置方法を説明するための側面図であって、（ａ）はスペーサ配置工程および床版設置工程を示す図、（ｂ）は床版を設置した状態を示す図である。
【図１３】（ａ）（ｂ）はスペーサの変形例を示す斜視図である。
【図１４】既設の床版をより軽量な床版に取り替える際の問題点を説明するための側面図であって、（ａ）は既設の床版が設置された状態を示す図、（ｂ）は既設の床版を撤去した状態を示す図、（ｃ）は新設の床版を設置した状態を示す図である。
【符号の説明】
【００７８】
１０    桁
２０    結合部材
３０    高さ調整用の硬化材
４０    床版
４５    中空部
５０    充填用の硬化材
６０    ずれ止め部材
６５    鉄筋
７０    止水部材
８０    スペーサ
１４０  既設の床版
【図１】
2005213825.tif 000003
【図２】
2005213825.tif 000004
【図３】
2005213825.tif 000005
【図４】
2005213825.tif 000006
【図５】
2005213825.tif 000007
【図６】
2005213825.tif 000008
【図７】
2005213825.tif 000009
【図８】
2005213825.tif 000010
【図９】
2005213825.tif 000011
【図１０】
2005213825.tif 000012
【図１１】
2005213825.tif 000013
【図１２】
2005213825.tif 000014
【図１３】
2005213825.tif 000015
【図１４】
2005213825.tif 000016